(57)【要約】【課題】  コインロッカー等が不法に使用されるのを防止し、犯罪や事件等に結びつく可能性を抑制するとともに、デザイン的に斬新性のあるコインロッカーを提供する。【解決手段】  収納ボックス２を複数備えたコインロッカーにおいて、各収納ボックス２の上・下面板、左・右両側面板、前・後面板をすべて透明な透明板４とし、外部から一見して内部収容物が透視できるようにする。この際、前面側ジョイント部材５と後面側ジョイント部材６で各透明板４の四隅を点支持するとともに、透明板４として、合せガラス等の強度を備えたものとする。そして、前面の透明板４を開閉自在にし、施錠可能にする。【選択図】      図１
2006023967.tif 000002
【特許請求の範囲】
【請求項１】
複数の収納ボックスの前面が個別の扉で開閉自在にされ、各扉が施錠可能にされるコインロッカーであって、少なくとも、前記収納ボックスの前面の扉と、左・右両側面板とが透明板から構成されていることを特徴とする透明コインロッカー。
【請求項２】
前記透明板は、合せガラス、または強化ガラス、強化複層ガラス、またはポリカーボネート樹脂、または強化アクリル等の強度を備えた素材であることを特徴とする請求項１に記載の透明コインロッカー。
【請求項３】
前記収納ボックスの下面板も透明素材から構成され、この下面板は、四隅が上下に挟み込んで点支持されていることを特徴とする請求項１又は請求項２に記載の透明コインロッカー。
【発明の詳細な説明】
【技術分野】
【０００１】
本発明は、例えば内部の収納物を外部から一目で判読できるような斬新的なデザインのコインロッカーに関する。
【背景技術】
【０００２】
従来、例えば駅等に設置されるコインロッカーは、周囲が金属板で覆われたものが一般的であり、金属製の前面扉が開閉自在にされ、扉を閉めた状態でコインを投入すると施錠がなされるようなタイプのものが普通で、外観が無機質で平面的なものが多かった。
一方、このようなコインロッカーの外観性等を良好にするため、前面扉の前面に、透明な媒体保持枠を設け、この媒体保持枠内に写真等の表示媒体を交換可能にするような技術が知られている。（例えば、特許文献１参照。）
また、ロッカーの使用状況を一目で判別でき、また、物品の取り忘れ等も生じにくくする技術として、例えば扉の一部を透視部として構成し、この透視部を、収容部内が透視可能な透視許容状態と、これよりも光の透視率を減少させた透視抑制状態との間で電気的に切替可能にした技術も知られている。（例えば、特許文献２参照。）
更に、携帯電話器を充電しつつ安心して放置できるようなロッカーとして、複数の収納ボックスを設け、それぞれの収納ボックスの前面扉体を各個に施錠可能にするとともに、収納ボックス内に携帯電話器充電用の接続口を設け、扉体に透明窓を設けるような技術も知られている。（例えば、特許文献３参照。）
【０００３】
【特許文献１】特開２００３−１７８３７０号公報
【特許文献２】特開平８−２７３０５１号公報
【特許文献３】特開平１１−１２６２７７号
【発明の開示】
【発明が解決しようとする課題】
【０００４】
ところが、上記のように扉の一部を透明にしただけのロッカーでは、一目見ただけで収納物を判読することは困難であり、事件性に結びつく事態を抑制する効果が少なかった。
一方、近年、駅等の公共施設を狙った無差別テロ等に対する対策の重要性が叫ばれており、例えば、駅等のゴミ袋の配置数を減じたり、ゴミ袋を透明にするなどの方策が採用されている。
また、従来から駅等のコインロッカーも不法に使用されることがあり、例えば、ロッカー内に爆発物が仕掛けられたり、赤ちゃんの死体が隠されたりするような事件も発生しており、主用駅では、ゴミ箱とコインロッカーの使用を禁止するような例も見られている。
【０００５】
そこで本発明は、コインロッカー等が不法に使用されるのを防止し、事件性に結びつく可能性を抑制するとともに、デザイン的に斬新性のあるコインロッカーを提供することを目的とする。
【課題を解決するための手段】
【０００６】
上記目的を達成するため本発明は、複数の収納ボックスの前面が個別の扉で開閉自在にされ、各扉が施錠可能にされるコインロッカーにおいて、少なくとも、前記収納ボックスの前面の扉と、左・右両側面板とを透明板から構成した。
【０００７】
このように、収納ボックスの前面の扉と、左・右両側面板を透明板から構成すれば、頭の位置を合わせることにより、同じ高さのボックス内の収納物を一見して判読できるようになり、透明性が確保されて事件性に結び付く可能性を抑制できるとともに、明るいイメージとなり、斬新なデザインにすることができる。また、夜などはライトアップすることでハイセンスなものにすることができる。
なお、ここでいうコインロッカーとは、荷物等を一時的に預けることのできる鍵付きのロッカーで、コインの投入により開閉が可能なものをいう。
また、前面の扉と左・右両側面板以外の背面板や上・下面板は、必ずしも透明板である必要はないが、これらを含めて周囲六面全部を透明板にすれば、より透明性が確保され、またデザインも斬新なものとなるためより好ましい。
【０００８】
また本発明では、前記透明板を、合せガラス、または強化ガラス、強化複層ガラス、またはポリカーボネート樹脂、または強化アクリル等の強度を備えた素材にした。
そして、不正破壊等に対して抗湛力を付与し、簡単に壊すことができないようにするとともに、ガラスについては、割れたときでもカケラが飛散しないようにして周囲への安全性を確保する。
【０００９】
また、本発明では、前記収納ボックスの下面板も透明素材から構成し、この下面板について、四隅を上下に挟んで点支持するようにした。
ここで、下面板として金属板等を用い、この下面板を支持するにあたり、金属フレーム等を使用して下面板の周縁部をすべて保持すれば構成は簡単になるが、下面板や金属フレーム等によって透視可能な視界が遮られ、遮蔽範囲が広がる。そこで、下面板も含んで透明素材にし、またこの下面板の四隅を点支持するようにすることで、視界が遮られる領域が減り、より透明性が高まる。また、これら点支持部として、上下に挟み込んで支持するようにすれば、例えば、固定支持等に較べて支持部への応力集中が避けられ、隅部のみならず、辺中央部等にも応力を分散し均等化することができる。
【００１０】
なお、側面板や、背面板の支持方式については任意であるが、これらについても四隅を点支持するようにすれば好ましい。
【発明の効果】
【００１１】
複数の収納ボックスを備えたコインロッカーにおいて、少なくとも、収納ボックスの前面の扉と、左・右両側面板とを透明板から構成することにより、同じ高さ位置のボックス内の収納物を外部から一見して判読できるようになり、透明性が高まって事件性に結び付く事態を抑制できるとともに、明るいイメージにすることができる。
この際、透明板を、合せガラス、強化ガラス、ポリカーボネート樹脂、強化アクリル等の強度を備えた素材にすることで、不正破壊に対して抗湛性を高めることができ、また、周囲への安全性が確保される。
また、収納ボックスの下面板も透明素材から構成し、この下面板について、四隅を上下に挟んで点支持するようにすれば、透視可能な範囲が広がりデザイン性を高めることができ、しかも、同支持部への応力集中が防止される。
【発明を実施するための最良の形態】
【００１２】
本発明の実施の形態について添付した図面に基づき説明する。
ここで図１は本発明に係る透明コインロッカーの全体斜視図、図２は同正面図、図３は同背面図、図４は基礎枠組みの部分説明図、図５は前面側ジョイント部材の説明図で（ａ）は前方から見た説明図、（ｂ）は後方から見た説明図、図６は後面側ジョイント部材の説明図で（ａ）は後方から見た説明図、（ｂ）は前方から見た説明図、図７〜図１２は組付状態を示す説明図で、図７は水平透明板の載置状態を示す平面図、図８は後面透明板の組付状態を示す側面図、図９は水平透明板と後面透明板の組付状態を示す説明図、図１０は垂直透明板の組付状態を示す説明図、図１１は透明扉の正面図、図１２は透明扉の取付構造の説明図で、（ａ）はヒンジ部の説明図（図１１のＡ−Ａ線断面図）、（ｂ）は鍵部の説明図（図１１のＢ−Ｂ線断面図）、図１３は透明扉の組付状態の説明図である。
【００１３】
本発明に係る透明コインロッカーは、すべての方向から内部が透視可能で、不法に使用されるのを抑止するとともに、デザイン的に優れたコインロッカーを提供できるようにされている。
【００１４】
すなわち、図１乃至図３に示すように、本透明コインロッカー１は、例えば縦四段、横八列等の複数の収納ボックス２を備えており、各収納ボックス２の周囲壁面全体が透明素材から構成されることにより、すべての収納ボックス２内の収容部があらゆる方向から一見して透視できるようにされている。
そして、この透明素材としては、本実施例では、柔軟で強靭な中間膜を板ガラスで挟んだような防犯性の高い合せガラス等の透明板４ｔ、４ｓ、４ｈ、４ｚ（４ｔ、４ｓ、４ｈ、４ｚの区分については後述）を使用するようにしており、このような透明板４ｔ、４ｓ、４ｈ、４ｚは、ネジやくぎ等を使用したり溶接等で結合することができないため、基礎枠組み３に対して透明板４ｔ、４ｓ、４ｈ、４ｚを嵌め込んだり組み込んだりするだけで固定できるような構造にしている。
なお、透明板４ｔについては、収納ボックス２の前面を区画する透明扉であり、透明板４ｓについては、収納ボックス２の両側面を区画する垂直透明板であり、透明板４ｈについては、収納ボックス２の上下面を区画する水平透明板であり、透明板４ｚについては、収納ボックス２の後面を区画する後面透明板である。
【００１５】
前記基礎枠組み３は、図４に示すように、下方の複数本の連結フレーム１２で連結される前面側と後面側の一対のコーナフレーム１３と、前面側のコーナフレーム１３内に剛性のあるケーブル７で連結される複数の前面側ジョイント部材５と、後面側のコーナフレーム１３内に剛性のあるケーブル７で連結される複数の後面側ジョイント部材６を備えており、各ジョイント部材５、６は、ケーブル７により引張り力を受けた状態で連結されている。
【００１６】
そして、前面側ジョイント部材５は、図５に示すように、中央の円形部５ａから上下左右に張出す張出部５ｂと、円形部５ａから背面側に向けて突出する左右一対の１／４円状の受部５ｃを備えており、この受部５ｃより水平透明板４ｈの厚み程度の間隔だけ上方の位置に係合溝５ｍが形成されており、この係合溝５ｍに左右一対の押え駒５ｋが挿し込み可能にされている。そしてこれら押え駒５ｋは、係合溝５ｍ内の左右両端部の奥側から外側に向けて彫り込まれる係止溝（不図示）に係合可能な係合部ｋを備えており、所定の向きで係合溝５ｍに挿入した後、それぞれを左右の分離方向に一杯移動させることで、係合部ｋが係止溝に係合して抜脱不能になるようにされるとともに、そのときの左右の押え駒５ｋの間隙が、垂直透明板４ｓの厚みとほぼ同一になるようにしている。
【００１７】
また、円形部５ａと張出部５ｂの前面側は平坦面とされており、張出部５ｂについては、左右方向の張出部５ｂの長さより上下方向の張出部５ｂの長さが長くされ、それぞれの張出部５ｂの先端にケーブル７との連結部が設けられるとともに、上方に延出する張出部５ｂの片側側面には、突起部５ｄが設けられている。そして、この突起部５ｄに、後述する前面扉の鍵が係合可能な鍵穴ｅが設けられている。
また、円形部５ａから背面側に突出する左右一対の受部５ｃの中間部には、垂直透明板４ｓの厚みとほぼ同一間隔の空隙部が形成されている。
【００１８】
前記後面側ジョイント部材６は、図６に示すように、中央の円形部６ａから上下左右に張出す張出部６ｂと、張出部６ｂから内面側に向けて突出する左右一対の１／４円状の受部６ｃを備えており、円形部６ａの外面中央部には、略十字形の凹溝ｇが設けられている。そして、この略十字型の凹溝ｇには、凹溝ｇの形状とほぼ同一形状の十字受け部材８が外側から嵌合可能にされ、前記円形部６ａの中心部や、十字受け部材８の中心部には、ボックス内部側から外側に向けてボルト９を挿通させることのできるボルト挿通孔が設けられている。
【００１９】
また、円形部６ａの内面側のうち、受部６ｃより水平透明板４ｈの厚み程度の間隔だけ上方の位置に係合溝６ｍが形成されており、この係合溝６ｍに左右一対の押え駒６ｋが挿し込み可能にされている。そして、これら一対の押え駒６ｋは、係合溝６ｍ内の左右両端部の奥部から外側に向けて彫り込まれる係止溝（不図示）に係合可能な係合部ｋを備えており、所定の向きで係合溝６ｍに挿入した後、それぞれを左右の分離方向に一杯移動させることで、係合部ｋが係合溝６ｍ奥の係止溝に係合して抜脱不能になるようにされるとともに、そのときの左右の押え駒６ｍの間隙が、垂直透明板４ｓの厚みとほぼ同一になるようにしている。
また、前記左右一対の受部６ｃの間隙も、垂直透明板４ｓの厚みとほぼ同一にされている。
【００２０】
そして、前記凹溝ｇの外側から凹溝ｇに十字受け部材８を嵌め込むと、十字受け部材８の一部が、円形部６ａの外面から外側に向けて後面透明板４ｚの厚み分程度が飛び出すようにしており、この十字受け部材８の外側には、円板状のカバー部材１０が取り付け可能にされている。すなわち、カバー部材１０の片側面の中心部には、ボルト９の先端が螺合可能なネジ孔が未貫通状態で所定の深さだけ形成されている。
【００２１】
次に、上記のような透明コインロッカー１の組立要領の一例について説明する。
まず、図４に示すように、前面側と後面側のコーナフレーム１３に前面側ジョイント部材５や後面側ジョイント部材６をケーブル７で連結し、基礎枠組み３の枠組みを完了する。この際、各ジョイント部材５、６には、ケーブル７で引張りテンションを与えるように組み付ける。
【００２２】
次いで、各透明板４ｔ、４ｓ、４ｈ、４ｚを配設することで、各収納ボックス２を画成していくが、説明上、いずれか１ヶ所の収納ボックス２を例にとって説明する。
ここで、前述のように、収納ボックス２の上面や下面は水平透明板４ｈにより画成し、収納ボックス２の両側側面の透明板４は垂直透明板４ｓにより画成するが、水平透明板４ｈは、上下に隣接する収納ボックス２においては、上段の収納ボックス２の下面板になると同時に、下段の収納ボックス２の上面板をも兼ねさせるようにしており、左右に隣接する収納ボックス２においては、一方側の収納ボックス２の左側板になると同時に、他方側の収納ボックス２の右側板をも兼ねさせるようにしている。また、前面については、透明扉４ｔを開閉自在にしている。
【００２３】
そして、前記要領により基礎枠組み３の組付が終了すると、図７に示すように、隣接する２ヶ所の前面側ジョイント部材５の一方側の受部５ｃと、これに対応する個所の２ヶ所の後面側ジョイント部材６の一方側の受部６上に水平透明板４ｈを載置してゆき、その後、前面側ジョイント部材５については、図５（ｂ）に示すように、係合溝５ｍに左右一対の押え駒５ｋを挿入して左右の水平透明板４ｈの前方隅部を押え込み、後面側ジョイント部材６については、図６（ａ）に示すように、係合溝６ｍに左右一対の押え駒６ｋを挿入して左右の水平透明板４ｈの後方隅部を押え込む。
【００２４】
次いで、図８に示すように、後面側ジョイント部材６の円形部６ａの外側の凹溝ｇに十字受け部材８を嵌合させ、隣接する水平透明板４ｈの間隙部分を通して、ボルト９を内部側からや円形部６ａ中心のボルト挿通孔や、十字受け部材８中心のボルト挿通孔を挿通させるとともに、ボルト９の先端をカバー部材１０に軽くねじこむ。すると、十字受け部材８は円形部６ａの後面から透明板４の厚み程度突出しているため、カバー部材１０と円形部６ａとの間には、後面透明板４ｚの厚みとほぼ同程度のクリアランスが設定されており、このクリアランスを利用して後面透明板４ｚを挿し込んで十字受け部材８の十字水平部で下端部を保持する。その後、必要に応じてボルト９を更にねじ込むことで、カバー部材１０を確実に締付ける。
【００２５】
すると、カバー部材１０によってボルト９の締め付け個所は確実に外部から隠されるようになり、防犯性を高めることができる。
そして、以上のような要領で周囲の収納ボックス２を順次組み付ければ、図９に示すように、水平透明板４ｈにより上面と下面が画成され、後面透明板４ｚにより後面が画成されるようになる。
【００２６】
次に、図１０に示すように、隣接する収納ボックス２の間を仕切るべく、上部から垂直透明板４ｓを挿し込む。この垂直透明板４ｓは、上下複数段の収納ボックス２の側面を同時に仕切ることができるよう長さが長く構成されており、各ジョイント部材５、６の一対の受部５ｃ、６ｃや押え駒５ｋ、６ｋ間の空隙部に嵌め込むように挿入される。
【００２７】
そして、その後、最上面部に、例えば長い一枚の水平透明板４ｈを配置し、任意の手段でコーナフレーム１３に固定し、最後に各収納ボックス２の前面に、図１１に示すような透明扉４ｔを取り付ける。
【００２８】
この透明扉４ｔは、図１２（ａ）に示すように、片側がヒンジ部材１４により前面側ジョイント部材５の上下の張出部５ｂに取り付けられており、他方側に、図１２（ｂ）に示すような鍵１５が設けられている。そしてこの鍵１５を操作することにより、鍵１５のデッドボルト１５ｄが張出部５ｂの突起部５ｄに形成される鍵穴ｅに係脱自在になるようにされている。そして、ヒンジ部材１４を取付けるため透明扉４ｔに設けられた取付孔等を封止部材１６で覆うようにするとともに、本実施例では、鍵１５のタイプとして、本締り式のロック機構を採用している。
なお、この鍵１５に、透明扉４ｔを開閉操作するための把手部を設けるようにしても良い。
【００２９】
以上のような透明コインロッカー１において、収納ボックス２の周囲の殆どが透明素材から形成され、透明素材以外のジョイント部材５、６等が最小限で使用されているため、収納ボックス２に収納した収納物の殆どが外部から透視できるようになり、防犯性にも優れているため、事件性に結び付く可能性を抑制できる。
なお、連結フレーム１２内に照明器具を内装し、夜間でも上方を照らし出すようにしておくことも可能である。
【００３０】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、各ジョイント部材５、６を連結する部材はケーブル７に限られず、連結フレーム等であっても良く、また、上記の組付順序は例示である。
【産業上の利用可能性】
【００３１】
収納ボックスの周囲を囲う部材のうち、少なくもと前面の扉と左・右両側面板を透明素材にし、透視が妨げられる部材を最小限にしたため、ロッカーが犯罪や事件に結びつくような使われ方をするのを抑制できる。また、デザイン的に斬新で優れたものとなり、明るいイメージを抱かせることができる。
【図面の簡単な説明】
【００３２】
【図１】本発明に係る透明コインロッカーの全体斜視図
【図２】同正面図
【図３】同背面図
【図４】基礎枠組みの説明図
【図５】前面側ジョイント部材の説明図で（ａ）は前方から見た説明図、（ｂ）は後方から見た説明図
【図６】後面側ジョイント部材の説明図で（ａ）は後方から見た説明図、（ｂ）は前方から見た説明図
【図７】組付途中の説明図で、水平透明板の載置状態を示す平面図
【図８】後面透明板の組付状態を示す側面図
【図９】水平透明板と後面透明板の組付状態を示す説明図
【図１０】垂直透明板の組付状態を示す説明図
【図１１】透明扉の正面図
【図１２】透明扉の取付構造の説明図で、（ａ）はヒンジ部の説明図（図１１のＡ−Ａ線断面図）、（ｂ）は鍵部の説明図（図１１のＢ−Ｂ線断面図）
【図１３】透明扉の組付状態の説明図
【符号の説明】
【００３３】
１…透明コインロッカー、２…収納ボックス、３…基礎枠組み、４…透明板、５…前面側ジョイント部材、６…後面側ジョイント部材、７…ケーブル、１５…鍵。
【図１】
2006023967.tif 000003
【図２】
2006023967.tif 000004
【図３】
2006023967.tif 000005
【図４】
2006023967.tif 000006
【図５】
2006023967.tif 000007
【図６】
2006023967.tif 000008
【図７】
2006023967.tif 000009
【図８】
2006023967.tif 000010
【図９】
2006023967.tif 000011
【図１０】
2006023967.tif 000012
【図１１】
2006023967.tif 000013
【図１２】
2006023967.tif 000014
【図１３】
2006023967.tif 000015